(57)【要約】【課題】大量の排水によっても浮き上がることがなく、シンプルな構造で見栄えのよい、シンク排水口の開口部用の排水口覆い蓋を提供する。【解決手段】シンク２０の排水口の内部がシンク利用者から見えないように隠すために、排水口の開口部２１に遊嵌した状態で保持して用いられる排水口覆い蓋１０であって、シンク排水口の開口部２１における大半の領域を覆うとともに、その一部は開放状態のまま残して流水口２２を形成する蓋本体１と、この蓋本体１の周縁に垂下させて連設した支持壁２とを備え、支持壁２に通気孔３が設けられている。【選択図】図１
2008291580.tif 000002
【特許請求の範囲】
【請求項１】
シンクの排水口の内部がシンク利用者から見えないように隠すために、上記排水口の開口部に遊嵌した状態で保持して用いられる排水口覆い蓋であって、
上記シンク排水口の開口部における大半の領域を覆うとともに、その一部は開放状態のまま残して流水口を形成する蓋本体と、この蓋本体の周縁に垂下させて連設した支持壁とを備え、上記支持壁に通気孔が設けられていることを特徴とする排水口覆い蓋。
【請求項２】
請求項１において、
上記排水口覆い蓋は、樹脂材料に増重量剤または増重量材を付加して一体的に成形され、比重を１より大きくしている排水口覆い蓋。
【請求項３】
請求項１または２において、
上記蓋本体の上面は、上記開口部の周縁側より上記流水口側に降下する傾斜面とされている排水口覆い蓋。
【請求項４】
請求項１〜３のいずれかにおいて、
上記蓋本体は、平面視で、上記開口部の一部を切り欠いた形状とされ、上記開口部に遊嵌した際に、該切欠き部分が上記流水口として作用する構造としている排水口覆い蓋。
【発明の詳細な説明】
【技術分野】
【０００１】
本発明は、キッチン流し台のシンク排水口の開口部に遊嵌させて使用される排水口覆い蓋に関するものである。
【背景技術】
【０００２】
従来、キッチン流し台のシンクの底面に開設された排水口の開口部に着脱自在に取り付けられる排水口覆い蓋として、例えば特許文献１、２に示すものなどがある。
【０００３】
この種の排水口覆い蓋は、開口部の形状に合わせて、平面視が円形状に形成され、適所に１〜数個の流水口が設けられ、それらの流水口から排水できるような構造となっている。
【０００４】
図４は、従来の他の排水口覆い蓋の形状を示すもので、図４（ａ）は排水口覆い蓋の外観斜視図、（ｂ）はシンク排水口の開口部への取付状態を示した斜視図である。
【０００５】
図４に示すように、排水蓋１００の蓋本体１０１は、平面視では円形の一部を切り欠いたように形成されており、排水蓋１００を開口部１２１に取り付けたときには、その切り欠いた一部を排水時の流水口１２２としている。このものも特許文献１、２のものと同様に、蓋本体１０１は下方のゴミ収容器（不図示）などを収納している排水部（不図示）空間を覆い隠すとともに、開口部１２１を部分的に覆うことで、スプーンや箸などの落下を防止し、排水のみ下方に落下させるようにしている。
【０００６】
また、また、蓋本体１０１の周縁には下向きの支持壁リブ片１０２が周設されており、この支持壁リブ片１０２を開口部１２１に嵌入し、の内周縁１２４に設けられた段部１２３に載せ置くことで、排水蓋１００の嵌入、取付ができるようになっている。
【０００７】
このように、図４に示した排水口覆い蓋１００は、排水機能と、排水部を被覆する機能と、長尺物の落下防止機能とを、きわめて単純な構造によって実現している。
【特許文献１】特開平７−２８６３４９号公報
【特許文献２】特開２００３−２６１９７２号公報
【発明の開示】
【発明が解決しようとする課題】
【０００８】
しかしながら、図４のものでは、シンク内の排水が急激に増えると流水口１２２に対して、大量水を急激に排水すると、流水口１２２はが大量の水流Ｆ１によって塞がれ、水流Ｆ１によって流水口１２２から上方へ抜け出るはずの排水部空間に部の残留している空気Ｆ２が、逃げ場を失って蓋本体１０１の裏側に入り込み、排水蓋１００をを空気圧で上方へ持ち上げようとするため、排水蓋１００が浮き上がったり、微小な振動（がたつき）を起こしたりすることがある。
【０００９】
ところがこの問題は、排水部の被覆機能と長尺物落下防止機能とを低下させない必要があるため、流水口の大きさを大きくすることが解決策とはなりえない。
【００１０】
また、ゴミ収容器にゴミが溜まりすぎているときに大量の水を流すと、ゴミにより水の流れが悪くなってシンク内に水があふれ出ることがあるが、その際に、排水口覆い蓋が水中に浮き上がって、それによりゴミ収容器内のゴミがシンク内に放出されてしまうという問題もある。特に比重の小さい樹脂などでは、容易に浮き上がってしまう。
【００１１】
一方、上記特許文献２では、大量の水が流し込まれても排水口覆い蓋ががたついたり浮かび上がったりすることのないように、排水口覆い蓋の周縁に通気孔を設けて空気を逃がすようにしているが、その通気孔は蓋の上面側の流水口への導水部空間に接しているため、大量の水が流されると通気孔までをも塞いでしまうおそれがあり、確実に空気を追い出す構造とはなりえない。さらに、通気孔は上面側に形成されているため美観を損なう可能性もある。
【００１２】
本発明は、このような事情を考慮して提案されたもので、その目的は、大量の排水によっても浮き上がることがなく、シンプルな構造で見栄えのよい、シンク排水口の開口部用の排水口覆い蓋を提供することにある。
【課題を解決するための手段】
【００１３】
上記目的を達成するために、請求項１に記載の排水口覆い蓋は、シンクの排水口の内部がシンク利用者から見えないように隠すために、排水口の開口部に遊嵌した状態で保持して用いられる排水口覆い蓋であって、シンク排水口の開口部における大半の領域を覆うとともに、その一部は開放状態のまま残して流水口を形成する蓋本体と、この蓋本体の周縁に垂下させて連設した支持壁とを備え、支持壁に通気孔が設けられていることを特徴としている。
【００１４】
請求項２に記載の排水口覆い蓋は、樹脂材料に増重量剤または増重量材を付加して一体的に成形され、比重を１より大きくしている。
【００１５】
請求項３に記載の排水口覆い蓋の上面は、蓋本体は開口部の周縁側より流水口側に降下する傾斜面とされている。
【００１６】
請求項４に記載の排水口覆い蓋は、蓋本体は平面視で、開口部の一部を切り欠いた形状とされ、開口部に遊嵌した際に、切欠き部分が流水口として作用する構造としている。
【発明の効果】
【００１７】
請求項１に記載の本発明によれば、排水口覆い蓋は支持壁に通気孔を設けて、シンク排水口の開口部との遊嵌間隙から通気孔を経て空気を排出する構造としているため、シンク内での大量の排水によって流水口が塞がれても、排水口の内部空間の残留空気をシンクに逃がすことができ、その結果、排水口内部の空気が蓋の裏側を押し上げることはなく、排水時に蓋が浮き上がったり、がたついたりすることを防止できる。
【００１８】
また、通気孔は蓋本体の周縁より垂下させて形成された支持壁に形成されているため、上面には表れず、通気孔によって美観を損なうこともない。
【００１９】
請求項２に記載の本発明によれば、排水口覆い蓋が増重量剤または増重量材を付加して、比重を１より大きくして浮き上がり防止構造となっているため、がたつき防止を強化できる。また全体重量を重くすることで、水中での浮き上がりを防止できる。
【００２０】
請求項３に記載の本発明によれば、蓋本体の上面が開口部の周縁側より流水口側に降下する傾斜面とされているため、排水がスムーズに行えるとともに、周縁に設けた通気孔への水の流れ込みを防止できる。
【００２１】
請求項４に記載の本発明によれば、蓋本体が平面視で開口部の一部を切り欠いた形状とされ、開口部に遊嵌した際に切欠き部分が流水口として作用する構造となっているため、蓋本体に流水口を設ける必要がなく、製造が容易となり、シンプルな形状で見栄えもよく、シンプルな形状のシンクによくマッチする。
【発明を実施するための最良の形態】
【００２２】
以下に、本発明の実施の形態について、添付図面とともに説明する。
【００２３】
図１（ａ）は本発明の一例である排水口覆い蓋の外観を示す斜視図、（ｂ）はその裏側を示す斜視図である。図２（ａ）は同排水口覆い蓋の平面図、（ｂ）は（ａ）のＡ−Ａ線の縦断面図である。また、図３（ａ）は同排水口覆い蓋をシンク底面の排水口の開口部に取り付けた状態を示す斜視図、（ｂ）は（ａ）のＢ−Ｂ線の縦断面図である。
【００２４】
同排水口覆い蓋１０は、硫酸バリウムなどの金属化合物を充填剤としたポリプロピレンなどの樹脂で製され、蓋本体１と、その蓋本体１の周縁より下向きに折曲された周壁２、４とが一体形成されている。平面視では、蓋本体１は円形の一部を切り欠いた形状であり、排水口覆い蓋１０をシンク２０の底面に設けた排水口の開口部２１に取り付けると、上記切欠き部分が排水部３０（図３（ｂ）参照）への流水口２２となる。なお、シンク２０は、ステンレス、樹脂などで製されている。
【００２５】
周壁２、４のうち開口部２１の内周に沿うように形成された支持壁２は、排水口覆い蓋１０を開口部２１の内周縁２４に形成された段部２３に載せ置けるように一定高さに形成されており、その支持壁２には、複数の通気孔３が適所に開設されている。つまり、排水口覆い蓋１０は、開口部２１に遊嵌状態に取り付けられると、通気孔３は開口部２１の内周縁２４と対向するため、シンク上方側からは目視できない状態となる。
【００２６】
後述するように、この通気孔３は排水時に排水部３０内の空気を逃がすためのもので、形状と数は適宜選択できる。また図例では、加工が容易な切欠きにより通気孔３を構成しているが、貫通孔であってもよい。
【００２７】
また図２に示すように、蓋本体１には、支持壁２を連設した周縁部から流水口２２側の縁に向けて降下する、排水用の口や孔のない傾斜面が形成されている。
【００２８】
このように、蓋本体１は平面視では、きわめてシンプルな形状であり、製造が容易であり、見栄えもよい。さらに、流水口２２を開口部２１の中心より周縁側に偏在させているため、孔や口のない蓋本体１でもって、排水部３０内の不浄空間を有効に隠すことができる。排水部３０内に収納されるゴミ収容器（不図示）の平面形状を、蓋本体１の平面形状に合わせれば、溜まったゴミが人目に触れることもない。
【００２９】
また、蓋本体１は流水口２２に降下する傾斜面を有しているので、排水能力を向上できるとともに、蓋本体１上の水が通気孔３へ流れ込むことを防止できる。
【００３０】
なお、蓋本体の形状はこのようなものに限られず、蓋本体の内方に流水口を開設した排水口覆い蓋であってもよい。その場合も、排水効果を高めるために流水口に向けて傾斜面を形成することが望ましい。
【００３１】
ついで、図３を参照しながら、排水時における排水口覆い蓋１０の通気孔３の作用について説明する。なお、排水部３０空間には、ゴミ収容器（不図示）が収納され、さらに下方には排水トラップ管３１が連設されている。なお、図中の矢印ｆ１は排水時の水の流れ、矢印ｆ２は大量水を流したときの、排水部３０内に滞留している空気の流れを示している。
【００３２】
シンク２０内に水を流すと、水は蓋本体１の傾斜面に沿って、あるいは直接流水口２２に入り込み、排水部３０内へと流れ込み、さらに排水トラップ管３１に流れ込んでゆく。
【００３３】
排水量が小量であれば、排水部３０空間に滞留していた空気が、流れ込んでくる水によって上方に押し出されて、その空気は流水口２２と通気孔３とよりシンク２０内へと放出される。
【００３４】
一方、一度の排水での水量が多い場合、流水口２２が流水で塞がれるため、排水部３０空間の滞留空気は流水口２２からは逃げ出せないが、その逃げ場を失った空気は、支持壁２に設けられた通気孔３へと流れ、通気孔３から外に出て、排出開口２１の内周縁２４と支持壁２との間の遊嵌間隙２５を抜けて、シンク２０内へと放出される。
【００３５】
このように、支持壁２に通気孔３が開設されているため、大量水を排水した場合でも、排水部３０内の空気が蓋の裏側を押し上げる力が作用することなく、シンク２０内へ排出され、そのため、排水口覆い蓋１０が排水部３０からの空気圧によって浮き上がったり、がたついたりすることはない。
【００３６】
また、排水口覆い蓋１０は、金属化合物などの比重の大きな増重量剤を樹脂に含有して製されているため、浮き上がり防止効果をいちだんと上げることができる。なお、ポリプロピレンの比重は約０．９であるが、硫酸バリウムを付加することで、約２．０にすることができ、浮き上がり防止におおいに寄与できる。また、蓋本体や周壁２、４に金属板などの増重量材を埋め込むことによって、排水口覆い蓋の重量を重くしてもよい。
【００３７】
また、このように排水口覆い蓋１０の比重を１よりも大きくしているため、ゴミ収容器にゴミが溜まりすぎているときなど水が流れにくい状況のときに、大量の水を流してシンク２０内にも水があふれ出てくるような場合でも、比重の大きい排水口覆い蓋１０と通気孔３とによる相乗作用によって、排水口覆い蓋１０の水中への浮き上がりを防止でき、それによってゴミ収容器に溜まっていたゴミがシンク２０内に放出されるような事態を避けることができる。
【００３８】
また、排水口覆い蓋１０を樹脂で製しているため、シンクを樹脂製とした場合には色合わせをしやすく、排水口覆い蓋１０を含めて、全体として白色系の明るい色に統一することができ、本例のように、平面視で排水口覆い蓋１０を孔のないシンプルな形状としたことともあいまって、シンク空間をすぐれた美観に形成できる。
【図面の簡単な説明】
【００３９】
【図１】本発明の一例である排水口覆い蓋の外観斜視図で、（ａ）は表面側、（ｂ）裏面側を示している。
【図２】（ａ）は同排水口覆い蓋の平面図、（ｂ）は（ａ）のＡ−Ａ線縦断面図である。
【図３】（ａ）同排水口覆い蓋を開口部に取り付けた状態を示す斜視図、（ｂ）はＢ−Ｂ線縦断面図である。
【図４】（ａ）従来の排水口覆い蓋の斜視図、（ｂ）同排水口覆い蓋を開口部に取り付けた状態を示す斜視図である。
【符号の説明】
【００４０】
１０      排水口覆い蓋
１      蓋本体
２      支持壁
３      通気孔
２０      シンク
２１      排水口の開口部
２２      流水口
２３      段部
２４      開口部の内周縁
２５      間隙
３０      排水部
【図１】
2008291580.tif 000003
【図２】
2008291580.tif 000004
【図３】
2008291580.tif 000005
【図４】
2008291580.tif 000006